(57)【要約】【課題】実際に広告依頼主がディスプレイに映し出されている自社の広告を確認できるようにすることで、広告会社の不正を防止できるようにしたシステムを提供することを目的とする。【解決手段】インターネットなどのネットワークを介して接続される複数のクライアントコンピューター２と、サーバーコンピューター３と複数の広告表示装置４を備えて構成されるもので、クライアントコンピューター２に入力された動画や静止画などの広告ファイルを広告表示装置４で表示できるようにするとともに、この広告表示装置４で表示された広告の動画や静止画をカメラ４０３を用いて撮影し、撮影映像をクライアントコンピューター２に表示させるようにしたものである。【選択図】図１
2008146349.tif 000002
【特許請求の範囲】
【請求項１】
動画や静止画を含む広告データをディスプレイに表示させる広告表示装置を備えてなる広告表示確認システムにおいて、
クライアントコンピューターから広告データの入力を受け付ける広告データ入力部と、
当該入力された広告データをネットワークを介してディスプレイに向けて送信する広告データ送信部と、
当該送信された広告データに含まれる動画や静止画をディスプレイに表示させる広告ファイル表示部と、
当該ディスプレイに表示された動画や静止画を撮影するカメラと、
当該カメラによって撮影された映像をネットワークを介してクライアントコンピューターに向けて送信する広告映像送信部とを備えるようにしたことを特徴とする広告表示確認システム。
【請求項２】
動画や静止画を含む広告データをディスプレイに表示させる広告表示装置を備えてなる広告表示確認システムにおいて、
クライアントコンピューターから広告データの入力を受け付ける広告データ入力部と、
当該入力された広告データをネットワークを介してサーバーコンピューターに送信する広告データ送信部と、
当該送信された広告データに含まれる動画や静止画を表示させる広告表示装置を特定して当該広告表示装置に転送する広告データ転送部と、
当該転送された広告データに含まれる動画や静止画をディスプレイに表示させる広告ファイル表示部と、
当該ディスプレイに表示された動画や静止画を撮影するカメラと、
当該カメラによって撮影された映像をネットワークを介してクライアントコンピューターに向けて送信する広告映像送信部とを備えるようにしたことを特徴とする広告表示確認システム。
【請求項３】
前記広告表示装置に広告データ記憶部を設け、当該広告データ記憶部に広告データを格納した後、当該格納した広告データをディスプレイに表示させるようにしたことを特徴とする請求項１又は２に記載の広告表示確認システム。
【請求項４】
前記サーバーコンピューターに、広告表示装置のディスプレイに表示される広告のスケジュールをクライアントコンピューターに送信する広告スケジュール送信部を設けたことを特徴とする請求項２又は３に記載の広告表示確認システム。
【発明の詳細な説明】
【技術分野】
【０００１】
本発明は、ディスプレイに表示された広告データを広告依頼者が確認できるようにした広告表示確認システムに関するものであり、より詳しくは、遠方に設けられたディスプレイに表示した広告の映像を広告依頼主がパーソナルコンピューター上で確認できるようにしたシステムに関する。
【背景技術】
【０００２】
近年、街中では、液晶やプラズマなどのディスプレイを用いた宣伝広告が盛んに行われるようになってきており、例えば、自動車が行き来する大きな道路沿いにおいては、建物の屋上に大型ディスプレイを設けてそこに広告を映し出したり、また、歩行者が頻繁に行き来する場所では、商品棚や通路沿いに比較的小型のディスプレイを設けて、そこに広告を映し出したりしている。
【０００３】
また、このようなディスプレイを用いた宣伝広告方法として、特許文献１や非特許文献１などにおいても色々な宣伝広告方法が記載されている。例えば、特許文献１には、街頭に設置されるディスプレイなどの表示装置と、広告依頼主側に設置されるクライアントコンピューターと、このクライアントコンピューターとインターネットによって接続されたサーバーコンピューターとを設けたシステムが開示されており、このようなシステムにおいて、広告依頼主からクライアントコンピューターを介して動画などの広告データの入力を受け付け、サーバーコンピューターから衛星回線を用いてその広告データを表示装置に送信させるようにしたシステムが開示されている。このようなシステムを用いれば、広告会社の担当者がいちいちディスプレイを設置した場所に行かなくても広告データを送信することができ、遠方に設けられた表示装置で容易に広告データを表示させることができるようになる。
【０００４】
ところで、このようなディスプレイを用いて広告を映し出す場合、現在では、広告依頼主は、広告を映し出すディスプレイを所有している広告会社に対して、どのような広告を映し出すか、あるいは、どのような場所に広告を映し出すかなどの情報を提供し、その後、広告会社との間の信頼関係のもと、広告を広告会社に一任することが多い。
【特許文献１】特開２００１−２２８４０号公報
【非特許文献１】http://www.jpo.go.jp/shiryou/s_sonota/hyoujun_gijutsu/net_koukoku/010.html（H18/11/19確認）
【発明の開示】
【発明が解決しようとする課題】
【０００５】
しかしながら、例えば、広告を希望している場所が外国などのように非常に離れた場所であるような場合、実際にディスプレイへの広告が行われているか否かを広告依頼主が確認することができない。このため、広告会社に広告料を支払ったにも関わらず、実際に広告を行っていないといった不正を見つけることができないといった現状がある。
【０００６】
そこで、本発明は、上記課題に着目してなされたもので、実際に広告依頼主がディスプレイに映し出されている自社の広告を確認できるようにすることで、広告会社の不正を防止できるようにしたシステムを提供することを目的とする。
【課題を解決するための手段】
【０００７】
すなわち、本発明は上記課題を解決するために、動画や静止画を含む広告データをディスプレイに表示させる広告表示装置を備えてなる広告表示確認システムにおいて、クライアントコンピューターから広告データの入力を受け付ける広告データ入力部と、当該入力された広告データをネットワークを介してディスプレイに向けて送信する広告データ送信部と、当該送信された広告データに含まれる動画や静止画をディスプレイに表示させる広告ファイル表示部と、当該表示された動画や静止画を撮影するカメラと、当該カメラによって撮影された映像をネットワークを介してクライアントコンピューターに向けて送信する広告映像送信部とを備えるようにしたものである。
【０００８】
このようにすれば、遠方のディスプレイに映し出されている広告の映像をクライアントコンピューターで実際に確認させることができ、広告会社による不正を防止することができるようになる。また、例えば、動画や静止画などの広告ファイルを作成した装置と広告を表示する装置との環境の違いによって、広告ファイルを作成した環境ではきれいに表示されていたが、広告を表示する場所では広告が乱れて表示されるといった不具合を知ることができるようになる。
【０００９】
また、このような広告表示確認システムにおいて、サーバーコンピューターを設けてそのサーバーコンピューターにクライアントコンピューターから広告データを送信し、そこから指定された場所の広告表示装置に広告データを送信させる。
【００１０】
このようにすれば、サーバーコンピューターで把握されているすべての広告表示装置の場所のうち任意の広告表示装置を指定して広告データを送信することができるため、広告依頼主に広告表示装置の場所を特定させたり、また、直接その広告表示装置に広告データを送信させる手間をかけさせるようなことがなくなる。また、サーバーコンピューター側で多くの広告依頼主からの広告データを一括して管理することができるため、広告を行うスケジュールを組むことができるようになる。
【００１１】
さらに、広告表示装置で広告を表示させる場合、広告表示装置に広告データ記憶部によって一旦すべて記憶デバイスに格納し、その後、その記憶デバイスから広告データを読み出してディスプレイに表示させる。
【００１２】
このようにすれば、ディスプレイにストリーミング再生させるような場合と比べて、通信環境の違いによって広告が不連続に表示されてしまうなどといった不具合を防止することができるようになる。
【００１３】
加えて、サーバーコンピューターで広告のスケジュールを組む場合、そのスケジュールをクライアントコンピューターに送信できるようにする。
【００１４】
このようにすれば、この広告スケジュールに合わせて実際に広告されているか否かを確認することができ、広告依頼主が長時間広告の映像を監視していなければならないなどといった不具合を防止することができるようになる。
【発明の効果】
【００１５】
本発明によれば、動画や静止画を含む広告データをディスプレイに表示させる広告表示装置を備えてなる広告表示確認システムにおいて、クライアントコンピューターから広告データの入力を受け付ける広告データ入力部と、当該入力された広告データをネットワークを介してディスプレイに向けて送信する広告データ送信部と、当該送信された広告データに含まれる動画や静止画をディスプレイに表示させる広告ファイル表示部と、当該表示された動画や静止画を撮影するカメラと、当該カメラによって撮影された映像をネットワークを介してクライアントコンピューターに向けて送信する広告映像送信部とを備えるようにしたので、遠方のディスプレイに映し出されている広告の映像をクライアントコンピューターで実際に確認させることができ、広告会社の不正を防止することができるようになる。また、例えば、動画や静止画などの広告ファイルを作成した装置と広告を表示する装置との環境の違いによって、広告ファイルを作成した環境ではきれいに表示されていたが、広告を表示する場所では広告が乱れて表示されるといった不具合を知ることができるようになる。
【発明を実施するための最良の形態】
【００１６】
以下、本発明の一実施の形態について図面を参照して説明する。図１は、この実施の形態における広告表示確認システム１の概要を示したものであり、広告依頼主側に設けられるクライアントコンピューター２と、当該クライアントコンピューター２にネットワークを介して接続されるサーバーコンピューター３と、このサーバーコンピューター３から送信されてきた広告データを表示させるための広告表示装置４とを示したものである。また、図２は、この実施の形態における広告表示確認システム１を構成するためのクライアントコンピューター２やサーバーコンピューター３、広告表示装置４の機能ブロックを示したものである。
【００１７】
この実施の形態における広告表示確認システム１は、インターネットなどのネットワークを介して接続される複数のクライアントコンピューター２と、サーバーコンピューター３と複数の広告表示装置４を備えて構成されるもので、クライアントコンピューター２から入力された動画や静止画などの広告ファイルを遠方に設けられた広告表示装置４で表示できるようにするとともに、この広告表示装置４で表示された広告の動画や静止画をカメラ４０３を用いて撮影し、クライアントコンピューター２で表示させるようにしたものである。具体的には、広告依頼主が遠隔地に設けられた広告表示装置４に広告を出す場合、クライアントコンピューター２で作成された動画や静止画などの広告ファイルを、その表示を希望する場所や希望する時間帯や後述する広告依頼主ＩＤなどとともにサーバーコンピューター３に送信する。そして、サーバーコンピューター３で、この受信した広告データのうち、広告ファイルの内容を見て表示して良いか否かをチェックするとともに、広告を表示させる場所や時間帯から広告を出すための広告スケジュールを作成し、広告表示装置４に送信する。これに対応して、広告表示装置４では、受信した広告データと広告スケジュールをすべて記憶し、記憶した広告スケジュールに従って広告を表示していく。また、これとともにディスプレイ４０１の前方に設けられたカメラ４０３を使ってディスプレイ４０１に表示された広告の映像を撮影し、クライアントコンピューター２に送信するようにしたものである。以下、本実施の形態における広告表示確認システム１について詳細に説明する。
【００１８】
まず、クライアントコンピューター２は、汎用のパーソナルコンピューターで構成されるもので、インターネットやＬＡＮなどの通信回線網を介してサーバーコンピューター３及び広告表示装置４に接続される。ここでは、クライアントコンピューター２として、パーソナルコンピューターを例に挙げて説明するが、広告データを入力できる機能や撮影映像を表示できる機能を有するものであれば、どのような装置であってもよく、例えば、インターネットに接続できる携帯電話やＰＤＡなどの携帯端末、あるいは、インターネットに接続されるテレビなどの家電製品であってもよい。
【００１９】
このクライアントコンピューター２は、ＣＰＵなどの演算デバイス、ＲＯＭやハードディスクなどの記憶デバイス、キーボードやマウスなどの入力デバイス、モデムなどの通信デバイス、ディスプレイなどの表示デバイスを少なくとも備えて構成され、また、サーバーコンピューター３は、ＵＮＩＸ（登録商標）サーバーコンピューターやコンピューターサーバーコンピューターなど汎用のサーバーコンピューターで構成される。そして、インターネットやＬＡＮなどの通信回線網を介してクライアントコンピューター２及び広告表示装置４に接続される。サーバーコンピューター３も同様に、ＣＰＵなどの演算デバイス、ＲＯＭやハードディスクなどの記憶デバイス、モデムなどの通信デバイスを少なくとも備えて構成される。また、広告表示装置４は、液晶やプラズマや有機ＥＬなどのディスプレイ４０１と、本体装置４０２と、ビデオカメラなどの動画を撮影できるカメラ４０３を備えて構成されるもので、インターネットやＬＡＮなどの通信回線網を介してクライアントコンピューター２やサーバーコンピューター３に接続される。そして、これらの各デバイスを協働させて、図２に示す各機能を実行させるようにしている。以下、クライアントコンピューター２とサーバーコンピューター３、広告表示装置４における各機能を詳細に説明する。
【００２０】
まず、クライアントコンピューター２における広告データ入力部２１は、広告依頼主から広告を表示するための動画や静止画などの広告ファイルの入力を受け付ける。また、これとともに、広告を表示させたい希望場所と広告を表示させたい希望時間帯を受け付ける。この広告ファイルの入力を受け付ける場合、まず、広告データ入力部２１は、広告入力画面を取得するためにサーバーコンピューター３にアクセスし、広告ファイルを受け付ける広告入力画面を取得する。これに対応して、サーバーコンピューター３には、入力画面送信部３１が設けられており、クライアントコンピューター２から広告入力画面の送信要求を受けることによって、サーバーコンピューター３に格納してある広告入力画面を読み出して、クライアントコンピューター２に送信する。サーバーコンピューター３から広告入力画面の情報をクライアントコンピューター２が受け取ると、クライアントコンピューター２に、図３に示すような、広告ファイル入力欄２１２や、その下方に広告の表示を希望する場所を受け付ける希望場所入力欄２１３、広告の表示を希望する時間帯を受け付ける希望時間帯入力欄２１４などが表示され、これらの入力欄に従って広告依頼主からの入力を受け付けられるようにしている。これらの入力欄のうち、広告ファイル入力欄２１２に入力を受け付ける場合、「ファイル参照」ボタンのクリックを受け付け、記憶デバイスに格納されている広告ファイルを読み出した後、所定の広告ファイルの設定入力を受け付ける。ここで「広告ファイル」とは、クライアントコンピューター２を用いて広告依頼者が作成したファイルや、他のパソコンで作成した状態で、クライアントコンピューター２に入力されたファイルなどである。また、希望場所入力欄２１３や希望時間帯入力欄２１４では、広告を表示させたい場所や時間帯の入力を受け付ける。この入力欄２１３、２１４で入力を受け付ける場合、標準入力やプルダウンメニュー、チェックボックスなどといった種々の手段を用いて入力を受け付けることが可能であるが、本実施の形態では、図３に示すように、プルダウンメニューによって、表示を希望する場所を選べるようにしている。そして、例えば、希望場所「上海」のボタンの入力と「選択」のボタンの入力を受け付けることによって、次画面としての希望時間帯入力欄２１４を表示させる。この希望時間帯入力欄２１４は、選択した希望場所における広告を表示することが可能な時間帯を示すもので、チェックボタンによって時間帯を選択できるようにしている。これによって、同じ広告表示装置、同じ時間帯において、広告依頼主が広告を出す要求を受け付けるようなことがなくなり、広告表示の管理を容易に行えるようにしている。そして、広告ファイル入力欄２１２や希望場所入力欄２１３、希望時間帯入力欄２１４の入力を受け付け、「送信」ボタンのクリックを受け付けることによって、図示しない確認画面の表示を行った後、広告データの受け付けが終了した旨の表示を行う。ここで、広告データは、上述のように動画や画像などの広告ファイル、希望場所、希望時間帯、広告依頼主ＩＤを含むデータで構成されるものであるが、これに限られず、広告ファイルを少なくとも含むデータであれば、どのようなデータを含むものであってもよい。また、広告依頼主ＩＤは、広告依頼主を特定するものであり、本実施の形態では、クライアントコンピューター２が広告入力画面を取得するためにサーバーコンピューター３へアクセスする際に、図４に示すような広告依頼主確認画面を設け、ＩＤ欄２６２とパスワード欄２６３に事前に登録又は発行された広告依頼主ＩＤとパスワードを入力させて取得するようにしている。
【００２１】
クライアントコンピューター２の広告データ送信部２２は、このように広告依頼主から入力された広告データをサーバーコンピューター３に送信するものであって、通信デバイスやネットワークを介してサーバーコンピューター３の記憶デバイスに広告データを格納させる。
【００２２】
サーバーコンピューター３がこの広告データを受け取ると、広告スケジュール作成部３３が、各広告表示装置４で表示を行うためのスケジュールである広告スケジュールを作成し、また、各広告依頼主ごとの広告スケジュールである依頼主広告スケジュールを作成する。なお、本実施の形態では、広告データを受信することによって広告依頼主スケジュールを作成するようにしているが、これに限られず、クライアントコンピューター２からの依頼主広告スケジュールの要求によって、または、一定時間おきに依頼主広告スケジュールを作成するようにしてもよい。また、この広告スケジュールを作成する場合、自動でスケジュールを作成するようにしてもよく、あるいは、人間の手作業によって作成するようにしてもよい。
【００２３】
そして、各広告依頼主ごとに作成された依頼主広告スケジュールは、サーバーコンピューター３の広告スケジュール送信部３４を介して、すぐにクライアントコンピューター２に送信される。この依頼主広告スケジュールをクライアントコンピューター２に送信する場合、サーバーコンピューター３から依頼主広告スケジュールを記述したメールを送信する。このメールには、図５に示すように、広告を表示させる時間帯（広告表示時間帯２３２）及び広告を表示させる場所（広告表示場所２３３）を記載し、また、広告表示場所２３３に対応した広告表示装置４の広告の映像をストリーミングによって確認することが可能なＵＲＬ（広告確認ＵＲＬ２３４）を記載しておく。これにより、広告依頼主は、広告が表示される前にメールを受け取ることで、表示のタイミングを思い出すことができるとともに、広告確認ＵＲＬをクリックすることにより、容易に広告されている映像を確認することができるようになる。
【００２４】
サーバーコンピューター３によって作成された依頼主広告スケジュールは、クライアントコンピューター２の広告スケジュール受信部２３を介して受け取られる。なお、依頼主広告スケジュールをメール以外の方法によって受け取ることもできる。例えば、サーバーコンピューター３から依頼主広告スケジュールを受け取る場合、まず、依頼主広告スケジュールを取得するためにサーバーコンピューター３にアクセスし、その際、広告依頼主に関する情報を入力し、広告依頼主に対応した依頼主広告スケジュールをサーバーコンピューター３から取得できるようにしてもよい。そして、クライアントコンピューター２のディスプレイに、図６に示すような、広告を表示させる時間帯（広告表示時間帯２３６）及び広告を表示させる場所（広告表示場所２３７）を含む依頼主広告スケジュールを表示させるようにしてもよい。ここで広告表示時間帯２３６は、時間順に表示させるようにしてある。また、広告表示場所２３７には、リンクが設けられており、このリンクには、対応する広告表示装置４における広告の映像をストリーミングによって確認することが可能なＵＲＬが貼り付けてある。これにより、広告依頼主は自己の広告されている映像を容易に確認することができる。なお、本実施の形態では、依頼主広告スケジュールとして、広告を表示させる時間帯と広告を表示させる場所を含むデータを用いているが、これに限らず、他のデータを備えるようにしてもよいし、広告を表示させる時間帯だけ含むデータであってもよい。
【００２５】
一方、サーバーコンピューター３の広告データ転送部３２は、クライアントコンピューター２から受信した広告データに含まれる広告の希望表示場所に従って、対応する広告表示装置４に広告データを送信する。この際、送信される広告データには表示場所の情報も含まれているが、この表示場所を含まない広告データを広告表示装置４に送信するようにしてもよい。また、広告スケジュール作成部３３で作成された広告スケジュールも広告データとともに、広告表示装置４に送信する。なお、広告データを広告表示装置４に送信する際、広告データをクライアントコンピューター２から受信した後すぐに送信するようにしてもよいが、これに限られず、広告ファイルの表示時間のある一定時間前、例えば、ある広告が２００６年１１月２１日１４時に表示される場合、その日の１３時などに、広告データを送信するようにしてもよい。このようにすれば、広告表示装置４の記憶容量が少ない場合に、長い間表示されない広告ファイルを記憶しておく必要がなくなるため、広告表示装置４における記憶容量を小さくしておくことができる。この場合、広告ファイルの表示時間よりも一定時間前の時間を検出し、それによって広告ファイルを送信するとよい。また、このように時間を見計らって広告ファイルを送信するのではなく、ストリーミングによって、広告の表示時間に広告ファイルを送信するようにしてもよい。
【００２６】
広告表示装置４の広告データ受信部４１は、サーバーコンピューター３の広告データ転送部３２から送信されてきたこの広告ファイルや広告スケジュールを受け取り、広告表示装置４の広告データ記憶部４２によってその広告ファイルや広告スケジュールを格納する。なお、サーバーコンピューター３からストリーミングによって広告を広告表示装置４のディスプレイ４０１に表示する場合、広告表示装置４に広告データ及び広告スケジュールを格納しなくてもよい。
【００２７】
広告表示装置４の広告ファイル表示部４３は、広告スケジュールによって、広告の表示時間になると表示する広告ファイルを探し出し、その広告ファイルをディスプレイ４０１に表示できるようにしたものである。このようにすれば、広告表示装置４では、広告スケジュールに従って広告の表示をすればよくなるため、例えば、広告を表示する時間が一日のうち１時間しかない場合に、広告表示装置４はいちいち表示する広告ファイルがあるか否かをチェックする必要がなくなり、広告表示装置４での表示を容易に行うことができるようになる。なお、サーバーコンピューター３からストリーミングによって広告の表示を行う場合、広告データ転送部３２から広告ファイルのデータを受信しながら、同時にファイルの再生を行い、ディスプレイ４０１に表示させる。
【００２８】
広告表示装置４の広告映像撮影部４４は、ディスプレイ４０１の映像を出力させるタイミングに合わせてカメラ４０３を起動させ、広告の映像を撮影する。そして、この取得した撮影映像を、本体装置４０２に格納するようにしたものである。ここで、記憶した撮影映像は、ストリーミングによって、リアルタイムの撮影映像を提供する場合、ある一定時間保持した後、破棄するようにしてもよいが、ストリーミングによって、オンデマンドの撮影映像を表示できるようにする場合、長期にわたって記憶しておく必要がある。また、撮影映像をすべてダウンロードさせることにより提供する場合、長期にわたって記憶しておいてもよいし、提供された撮影映像が短期間で不必要になる場合、その必要な期間だけ記憶しておくようにしてもよい。なお、ここでは、ディスプレイ４０１の映像を出力させるタイミングに合わせてカメラ４０３を起動させ、広告の映像を撮影するようにしているが、これに限られず、常にカメラ４０３を起動させておき、広告の映像を逐次撮影するようにしてもよい。また、撮影映像を本体装置４０２に格納するようにしているが、本体装置４０２に格納せず、広告映像送信部４５によりサーバーコンピューター３に撮影映像をすぐに送信するようにしてもよい。この場合、サーバーコンピューター３では、受信した撮影映像を記憶デバイスに格納し、ストリーミング又はダウンロードによってクライアントコンピューター２に送信できるようにする。
【００２９】
広告依頼主が自己の広告の確認を行いたい場合、クライアントコンピューター２の撮影映像要求部２４は、広告表示装置４に対して、広告が行われている映像（撮影映像）を送信する要求を出す。この要求において、ストリーミングによってリアルタイムの撮影映像を表示できるようにする場合、図５に示すような、広告表示装置４へのリンク（広告確認ＵＲＬ２３４）をクリックさせる又はウェブブラウザで広告表示装置４へのＵＲＬを入力させることにより、ＵＲＬで指定した広告表示装置４に対して撮影映像を送信する要求を出すようにする。ここで、ＵＲＬに指定するページは、例えば、ストリーミングによって動画を見ることが可能なページを指定する。なお、本実施の形態では、ストリーミングによって、リアルタイムに撮影映像を表示する場合について説明しているが、これに限られず、ストリーミングによって、オンデマンドに撮影映像を表示させる場合、リアルタイムと同様に、図５に示すような、広告表示装置４の動画ファイルへのリンク（広告確認ＵＲＬ２３４）をクリックさせる又はウェブブラウザで広告表示装置４のＵＲＬを入力させることにより、ＵＲＬで指定した広告表示装置４に対して撮影映像を送信する要求を出すようにする。また、撮影映像のファイルをすべてダウンロードし、このファイルをウィンドウズ（登録商標）メディアプレイヤーなどの動画ファイル表示ソフトで表示する場合、図示しないが、ＨＴＭＬ上に「動画ファイル名.avi」等の動画ファイルのリンクを貼り付けられた環境で、そのリンクをクリックさせることによって撮影映像を送信する要求を出すようにする。
【００３０】
広告表示装置４の広告映像送信部４５は、クライアントコンピューター２の撮影映像要求部２４から撮影映像を送信する要求があった場合、その要求に応じて、ストリーミングによってリアルタイムの撮影映像をクライアントコンピューター２に送信するものである。ここで、ストリーミングによって撮影映像をクライアントコンピューター２に送信するため、広告表示装置４の本体装置４０２において、ストリームサーバーコンピューターやＨＴＴＰサーバーコンピューター３などを設け、ＲＴＳＰやＭＭＳなどのプロトコルにより、記憶デバイスに格納された撮影映像をクライアントコンピューター２に送信する。なお、ストリーミングによって撮影映像を送信するようにしているが、クライアントコンピューター２が撮影映像のファイルをダウンロードする場合、ＦＴＰなどのプロトコルを用いて、記憶デバイスに格納された撮影映像をクライアントコンピューター２に送信するようにしてもよい。
【００３１】
クライアントコンピューター２の撮影映像表示部２５は、広告表示装置４の広告映像送信部４５から撮影映像を受信すると、撮影映像をクライアントコンピューター２のディスプレイに表示する。ここでは、ストリーム技術によってリアルタイムに撮影映像を表示する場合、広告映像送信部４５から撮影映像のデータを受信しながら、同時に撮影映像の再生を行い、図７に示すように、ディスプレイに撮影映像出力部２５２を含むウェブページを表示させる。これにより、リアルタイムの撮影映像をクライアントコンピューター２で表示することが可能になる。また、ストリーム技術によってオンデマンドに撮影映像を表示する場合、広告映像送信部４５から撮影映像のデータを受信しながら、同時に撮影映像の再生を行い、ディスプレイに表示させる。これによって、オンデマンドに表示させるため、広告依頼主は過去の広告の撮影映像についても確認することができる。さらに、撮影映像のファイルをダウンロードしてから表示させる場合は、広告映像送信部４５から撮影映像のデータをすべて受信した後、この撮影映像のファイルを動画ファイル再生ソフトによって表示させる。これによって、広告依頼主は広告されている映像を確認することができる。
【００３２】
次に、このように構成された広告表示確認システム１の動作について、広告依頼主の依頼により広告ファイルを広告表示装置４のディスプレイ４０１に表示する広告表示の処理と、広告依頼主の依頼により広告の撮影映像をクライアントコンピューター２のディスプレイに表示する広告表示確認の処理とに分けて説明する。以下、図８を用いて具体的に説明する。
【００３３】
まず、広告表示確認システム１において、広告依頼主が広告表示の処理をする場合について説明する。
【００３４】
広告依頼主からクライアントコンピューター２に対して広告表示開始する要求があった場合、クライアントコンピューター２は、サーバーコンピューター３にアクセスし、サーバーコンピューター３から受信した図４に示す広告依頼主確認画面を表示する。そして、クライアントコンピューター２は、あらかじめ登録又は発行された広告依頼主ＩＤとパスワードの入力を広告依頼主から受け付け、この受け付けた広告依頼主ＩＤとパスワードをサーバーコンピューター３に送信する。この広告依頼主ＩＤとパスワードを受信したサーバーコンピューター３では、広告依頼主の確認が行われ、登録された広告依頼主である場合、次の処理に移る。一方、登録された広告依頼主でない場合、クライアントコンピューター２に対してエラーメッセージを送信する。すると、クライアントコンピューター２では、広告依頼主に対して、図示しないが、管理画面で事前に広告依頼主ＩＤとパスワードを登録すべき旨を表示する（ステップＡ１）。
【００３５】
サーバーコンピューター３で広告依頼主の確認がされて、登録された広告依頼主であった場合、サーバーコンピューター３の入力画面送信部３１は、広告依頼主に対して広告入力画面を送信する（ステップＡ２）。
【００３６】
この広告入力画面を受信したクライアントコンピューター２の広告データ入力部２１は、図３に示すような、広告入力画面を表示させる（ステップＡ３）。この表示された広告入力画面によって、広告依頼主から映像等の広告ファイルと広告の表示を希望する場所、広告の表示を希望する時間帯を受け付ける（ステップＡ４）。そして、これらの広告データ（広告依頼主ＩＤ、広告ファイル、希望場所、希望時間帯）の入力を受け付け、「送信」ボタンのクリックを受け付けると、この受け付けた広告データを、広告データ送信部２２によってサーバーコンピューター３に送信する（ステップＡ５）。
【００３７】
広告データを受信したサーバーコンピューター３は、広告データをサーバーコンピューター３に格納する（ステップＡ６）。また、広告スケジュール作成部３３は、格納された広告データによって、各広告表示装置４ごとの広告が表示されるスケジュールを示す広告スケジュール（希望時間帯）及び各広告依頼主ごとの広告が広告表示装置４で表示されるスケジュールを示す依頼主広告スケジュール（希望時間帯、希望場所）を作成する。（ステップＡ７）そして、広告データ転送部３２により、広告データの希望場所に対応した広告表示装置４に広告データと広告スケジュールを転送する（ステップＡ８）。
【００３８】
この広告データと広告スケジュールを広告表示装置４の広告データ受信部４１を介して受信した広告表示装置４では、広告データ記憶部４２により、広告データと広告スケジュールを記憶デバイスに格納する（ステップＡ９）。そして、広告スケジュールにより、広告の表示を行う時間になると、格納してある広告データの中から表示の対象となる広告ファイルを読み出し、この広告ファイルを広告表示装置４のディスプレイ４０１に表示する（ステップＡ１０）。これと伴に、広告表示装置４の広告映像撮影部４４は、ディスプレイ４０１に広告の映像が表示されるとカメラ４０３を起動させ、ディスプレイ４０１に表示された広告の映像を逐次撮影し、撮影した撮影映像を記憶デバイスに逐次記憶する。そして、ディスプレイ４０１の広告が終了すると、カメラ４０３を停止する（ステップＢ１）。
【００３９】
これらの処理（ステップＡ１〜Ａ１０）によって、広告依頼主により入力された広告データの広告ファイルを広告表示装置４に表示させることができる。また、広告表示装置４の広告映像撮影部４４の処理（ステップＢ１）によって、広告依頼主から撮影映像の要求があった場合、広告依頼主に対していつでもリアルタイムの映像を提供できるようにしている。
【００４０】
次に、広告表示確認システム１において、広告依頼主が広告表示確認の処理をする場合について説明する。
【００４１】
広告依頼主が広告表示確認を行う前処理として、サーバーコンピューター３では、広告スケジュール送信部３４から各広告依頼主に対して依頼主広告スケジュールを送信する。（ステップＣ１）。この依頼主広告スケジュールの送信は、ステップＡ６で、依頼主広告スケジュールが作成された後になされるものであり、依頼主の広告が表示される前にメールによって送信される。
【００４２】
依頼主広告スケジュールを受信したクライアントコンピューター２の広告スケジュール受信部２３は、図５に示すような、依頼主広告スケジュールをクライアントコンピューター２のディスプレイに表示する（ステップＣ２）。そして、広告依頼主から、見たい表示場所に対する広告表示装置４のリンク（広告確認ＵＲＬ２３４）に対してクリックを受け付ける（ステップＣ３）。このクリックによって、撮影映像要求部２４により、指定した広告表示装置４、例えば、「上海」の広告確認ＵＲＬ２３４がクリックされた場合、「上海」に対応する広告表示装置４に撮影映像を送信する要求を出す（ステップＣ４）。
【００４３】
要求を受けた広告表示装置４の広告映像送信部４５では、ストリーミングによってクライアントコンピューター２に撮影映像のデータを送信する（ステップＣ５）。
【００４４】
撮影映像のデータを受信したクライアントコンピューター２の撮影映像表示部２５は、撮影映像を受信しながら、同時に撮影映像を再生し、クライアントコンピューター２のディスプレイに広告の映像を表示する（ステップＣ６）。
【００４５】
これらの処理（ステップＣ１〜Ｃ６）によって、クライアントコンピューター２においてリアルタイムの広告の映像を表示することができるようになり、広告依頼主は広告の映像を確認することができるようになる。
【００４６】
上述のように本実施の形態では、インターネットなどのネットワークを介して接続される複数のクライアントコンピューター２と、複数の広告表示装置４を備えて構成し、クライアントコンピューター２に入力された動画や静止画などの広告ファイルを広告表示装置４で表示できるようにするとともに、この広告表示装置４で表示された広告の動画や静止画をカメラ４０３を用いて撮影してクライアントコンピューター２に表示させるようにしたので、広告表示装置のディスプレイに表示されている広告の映像を自己のクライアントコンピューターで確認することができ、広告会社の不正を防止することができるようになる。また、例えば、広告データを作成した装置と広告を表示する装置との環境の違いによって、広告データを作成した環境ではきれいに表示されていたが、広告を表示する場所では、広告が乱れて表示されるといった不具合を知ることができるようになる。
【００４７】
また、このような広告表示確認システムにおいて、サーバーコンピューター３を設けてそのサーバーコンピューター３にクライアントコンピューター２から広告データを送信し、サーバーコンピューターの広告データ転送部３２によって、クライアントコンピューター２で指定された場所（希望場所）の広告表示装置に広告データを送信できるようにしたので、サーバーコンピューターで把握されているすべての広告表示装置の場所のうち任意の広告表示装置を指定して広告データを送信することができるため、広告依頼者から直接広告表示装置に広告データを送信させるための手間を省かせることができるようになる。また、サーバーコンピューター側で多くの広告依頼主からの広告データを一括管理することによって、広告を行うスケジュールを組むことができ、任意に広告が書き換えられてしまうなどの不具合を防止することができるようになる。
【００４８】
さらに、広告表示装置４に広告データ記憶部４２を設け、広告データを一旦記憶デバイスに格納した後、広告ファイルを広告表示装置４のディスプレイ４０１に表示するようにしたので、サーバーコンピューターなどから広告表示装置のディスプレイにストリーミング再生させるような場合と比べて、通信環境の違いによって広告が不連続に表示されてしまうなどといった不具合を防止することができるようになる。
【００４９】
加えて、サーバーコンピューター３に広告スケジュール作成部３３と広告スケジュール送信部３４を設け、広告スケジュール作成部３３によって、各広告依頼主ごとの依頼主広告スケジュールを作成し、広告スケジュール送信部３４によって、この依頼主広告スケジュールをクライアントコンピューター２に送信できるようにしたので、広告依頼主はこの広告スケジュールに合わせて実際に広告されているか否かを確認することができ、また、広告依頼主が長時間広告の映像を監視していなければならないなどの不具合を防止することができるようになる。
【００５０】
なお、本発明は上記実施の形態に限定されることなく、種々の態様で実施できる。
【００５１】
例えば、上記実施の形態では、複数のクライアントコンピューター２とサーバーコンピューター３と複数の広告表示装置４を備えるように構成しているが、この数に限られず、例えば、複数のクライアントコンピューターと一つの広告表示装置とを備えるように構成してもよいし、一つのクライアントコンピューターとサーバーコンピューターと複数の広告表示装置とを備えるように構成してもよい。
【００５２】
また、上記実施の形態では、広告表示装置４において、一つの本体装置４０２を備えるようにしているが、これに限られず、例えば、広告表示装置のディスプレイのためのディスプレイ用本体装置と広告表示装置のカメラのためのカメラ用本体装置とを設けるようにしてもよい。
【００５３】
さらに、上記実施の形態では、広告依頼主確認画面を用いて広告依頼主のＩＤとパスワードをチェックし、広告依頼主を確認するようにしているが、これに限られず、例えば、ＩＤとパスワードを使用せず、クライアントコンピューターの固定ＩＰアドレスを用いて、広告依頼主の確認をするようにしてもよい。なお、依頼主広告スケジュールを作成しない場合は、広告依頼主確認を行わず、広告表示依頼などをできるようにしてもよい。
【００５４】
加えて、上記実施の形態では、依頼主広告スケジュールを用いて広告の映像の確認をできるようにしているが、これに限られず、依頼主広告スケジュールを作成しない場合、例えば、すべての広告表示装置のＵＲＬがリンクされているページを作成し、このページから広告依頼主が自分の確認したい広告表示装置を選択して、広告の映像を確認するようにしてもよい。
【図面の簡単な説明】
【００５５】
【図１】本発明の一実施の形態である広告表示確認システムの概要図
【図２】同形態におけるクライアントコンピューターとサーバーコンピューターと広告表示装置の機能ブロックを示す図
【図３】同形態におけるクライアントコンピューターから広告データを入力する場合の画面例
【図４】同形態におけるクライアントコンピューターから広告依頼主ＩＤやパスワードを入力する画面例
【図５】同形態におけるサーバーコンピューターからクライアントコンピューターへ送信される依頼主広告スケジュールのメール内容例
【図６】他の形態におけるサーバーコンピューターからクライアントコンピューターへ送信される依頼主広告スケジュールの画面例
【図７】同形態におけるクライアントコンピューターのディスプレイで表示される広告の撮影映像の画面例
【図８】同形態における広告表示確認システムのシーケンス図
【符号の説明】
【００５６】
１・・・広告表示確認システム
２・・・クライアントコンピューター
３・・・サーバーコンピューター
４・・・広告表示装置
４０１・・・ディスプレイ
４０２・・・本体装置
４０３・・・カメラ
２１・・・広告データ入力部
２２・・・広告データ送信部
２３・・・広告スケジュール受信部
２４・・・撮影映像要求部
２５・・・撮影映像表示部
３１・・・入力画面送信部
３２・・・広告データ転送部
３３・・・広告スケジュール作成部
３４・・・広告スケジュール送信部
４１・・・広告データ受信部
４２・・・広告データ記憶部
４３・・・広告ファイル表示部
４４・・・広告映像撮影部
４５・・・広告映像送信部
２１２・・・広告ファイル入力欄
２１３・・・希望場所入力欄
２１４・・・希望時間帯入力欄
２６２・・・ＩＤ欄
２６３・・・パスワード欄
２３２・・・広告表示時間帯
２３３・・・広告表示場所
２３４・・・広告確認ＵＲＬ
２３６・・・広告表示時間帯
２３７・・・広告表示場所
２５２・・・撮影映像出力部
【図１】
2008146349.tif 000003
【図２】
2008146349.tif 000004
【図３】
2008146349.tif 000005
【図４】
2008146349.tif 000006
【図５】
2008146349.tif 000007
【図６】
2008146349.tif 000008
【図７】
2008146349.tif 000009
【図８】
2008146349.tif 000010